(57)【特許請求の範囲】
【請求項１】
物体側より順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群から構成され、各レンズ群の間隔を変えることにより変倍を行うズームレンズにおいて、
前記第２レンズ群は、物体側から順に、像側に凹面を向けた負レンズと、像側に凹面を向けた負レンズと、物体側に凸面を向けた正レンズで構成され、
前記第４レンズ群は、物体側より順に、正レンズと負レンズで構成され、前記正レンズと前記負レンズは空気間隔を隔てており、以下の条件式を満たすことを特徴とするズームレンズ。
−０．３０  ＜  ｆ４／ｆＴ  ＜  −０．０５      （１）
０．１  ＜  Ｐａｉｒ４／Ｐ４  ＜  １．５        （２）
ただし、
Ｐａｉｒ４：前記第４レンズ群の正レンズ像側面と、前記第４レンズ群の負レンズ物体側面とにより形成される、いわゆる空気レンズの屈折力
Ｐ４：前記第４レンズ群の屈折力
ｆ４：前記第４レンズ群の焦点距離
ｆＴ：望遠端における全系の焦点距離
尚、Ｐａｉｒ４は、下記の［数１］による。
【数１】
0005838500.tif 000006
ただし、
ｎ41：前記第４レンズ群の正レンズのｄ線に対する屈折率
ｎ42：前記第４レンズ群の負レンズのｄ線に対する屈折率
Ｒ42：前記第４レンズ群の正レンズの像側面の曲率半径
Ｒ43：前記第４レンズ群の負レンズの物体側面の曲率半径
Ｄ4：前記第４レンズ群の正レンズと、前記第４レンズ群の負レンズの軸上の空気間隔
【請求項２】
前記第３レンズ群は、物体側より順に、正の３ｐ１レンズ、負の３ｎレンズ、正の３ｐ２レンズから構成され、以下の条件式を満足することを特徴とする請求項１に記載のズームレンズ。
０．１５  ＜  ｎ３ｎ−ｎ３ｐ２  ＜  ０．５０          （３）
３０  ＜  ν３ｐ２−ν３ｎ  ＜  ６０                  （４）
ただし、
ｎ３ｎ：前記３ｎレンズの屈折率
ｎ３ｐ２：前記３ｐ２レンズの屈折率
ν３ｐ２：前記３ｐ２レンズのアッベ数
ν３ｎ：前記３ｎレンズのアッベ数
【請求項３】
以下の条件式を満足することを特徴とする請求項１または２に記載のズームレンズ。
０．２  ＜  ｎ42  −  ｎ41  ＜  ０．４      （５）
【請求項４】
以下の条件式を満足することを特徴とする請求項１から３のいずれかに記載のズームレンズ。
１．５０  ＜  ｆ１／（ｆＷ×ｆＴ）1/2  ＜  ２．５０                  （６）
−０．２０  ＜  ｆ２／（ｆＷ×ｆＴ）1/2  ＜  −０．４０              （７）
ただし、
ｆ１：前記第１レンズ群の焦点距離
ｆ２：前記第２レンズ群の焦点距離
ｆＷ：広角端における全系の焦点距離
ｆＴ：望遠端における全系の焦点距離
【請求項５】
前記第１レンズ群は、物体側より順に、１枚の負レンズと１枚の正レンズからなる接合レンズを有し、前記接合レンズの接合面は物体側に凸であり、以下の条件式を満たすことを特徴とする請求項１から４のいずれかに記載のズームレンズ。
０．３  ＜  ｎ１Ｎ  −  ｎ１Ｐ  ＜  ０．６      （８）
ただし、
ｎ１Ｎ：前記第１レンズ群の接合レンズにおける負レンズのｄ線に対する屈折率
ｎ１Ｐ：前記第１レンズ群の接合レンズにおける正レンズのｄ線に対する屈折率
【請求項６】
以下の条件式を満足することを特徴とする請求項１または５のいずれかに記載のズームレンズ。
１．５  ＜  （Ｄ１  ＋  Ｄ２）  ／  ｆＷ  ＜  ３．０                  （９）
ただし、
Ｄ１：前記第１レンズ群の光軸上の厚さ
Ｄ２：前記第２レンズ群の光軸上の厚さ
ｆＷ：広角端における全系の焦点距離
【請求項７】
前記第５レンズ群は、変倍時、合焦時ともに光軸方向に移動しないことを特徴とする請求項１から６のいずれかに記載のズームレンズ。
【請求項８】
前記第５レンズ群は、単レンズであることを特徴とする請求項１から７のいずれかに記載のズームレンズ。
【請求項９】
前記ズームレンズは、前記第４レンズ群を移動させることにより、合焦を行うことを特徴とする請求項１から８に記載のズームレンズ。
【請求項１０】
実質的にパワーを持たないレンズを更に有することを特徴とする請求項１から９のいずれか１項に記載のズームレンズ。
【請求項１１】
請求項１から１０のいずれかに記載のズームレンズを搭載したことを特徴とする撮像装置。
【発明の詳細な説明】
【技術分野】
【０００１】
本発明は、複数のレンズ群からなり、光軸方向にレンズ群の間隔を変えることで変倍を行うズームレンズ、そのズームレンズを備える撮像装置に関する。
【背景技術】
【０００２】
近年、ＣＣＤ(Charged Coupled Device)型イメージセンサあるいはＣＭＯＳ(Complementary Metal Oxide Semiconductor)型イメージセンサ等の固体撮像素子を用いたデジタルスチルカメラやビデオカメラにおいては、小型化や薄型化といったコンパクト性と高変倍化を両立したズームレンズの需要が高まっている。【０００３】
高変倍のズームレンズとしては、一般的に、物体側から順に正レンズ群・負レンズ群・正レンズ群・正レンズ群からなる４群構成（正負正正タイプという）のズームレンズがよく知られており、例えば特許文献１や２では、このタイプの４群構成のズームレンズが開示されている。【０００４】
一方、正負正正タイプの４群構成ズームレンズに比べ、可動レンズ群を増やすことにより、高い変倍比や光学性能を実現したズームレンズとして、物体側から順に正レンズ群・負レンズ群・正レンズ群・負レンズ群・正レンズ群からなる５群構成（正負正負正タイプという）のズームレンズが知られており、例えば特許文献３では、このタイプの５群構成のズームレンズが開示されている。
【先行技術文献】
【特許文献】
【０００５】
【特許文献１】特開2008-146016号公報
【特許文献２】特開2011-28238号公報
【特許文献３】特開2009-282398号公報
【発明の開示】
【発明が解決しようとする課題】
【０００６】
しかしながら、特許文献１に記載されたズームレンズは変倍比が６〜７倍と小さく、更なる高変倍が望まれる。一方、特許文献２に記載されたズームレンズでは変倍比は９〜１２倍と比較的大きいものの、望遠端での全長が大きいため、更なるコンパクト性が望まれる。これらのことから正負正正タイプの４群構成のズームレンズでは、コンパクト化と高変倍化の両立は実現困難であると言える。【０００７】
また、特許文献３に記載されたズームレンズでは、変倍比は９〜２０倍と高変倍が得られているものの、同様に望遠端での全長が大きく、また、第４レンズ群が単レンズまたは接合レンズを用いており、コマ収差や像面湾曲といった軸外収差を補正する能力はさほど大きくないことから、光学性能を維持しつつ、望遠端での全長をさらに小さくすることは困難であるといえる。【０００８】
本発明は、このような問題点に鑑みてなされたものであり、コンパクト化と高変倍化の両立を達成しつつ、さらに諸収差が良好に補正されたズームレンズ及びそれを用いた撮像装置を提供することを目的とする。
【課題を解決するための手段】
【０００９】
請求項１に記載のズームレンズは、物体側より順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群から構成され、各レンズ群の間隔を変えることにより変倍を行うズームレンズにおいて、
前記第２レンズ群は、物体側から順に、像側に凹面を向けた負レンズと、像側に凹面を向けた負レンズと、物体側に凸面を向けた正レンズで構成され、
前記第４レンズ群は、物体側より順に、正レンズと負レンズで構成され、前記正レンズと前記負レンズは空気間隔を隔てており、以下の条件式を満たすことを特徴とする。
−０．３０  ＜  ｆ４／ｆＴ  ＜  −０．０５      （１）
０．１  ＜  Ｐａｉｒ４／Ｐ４  ＜  １．５      （２）
ただし、
Ｐａｉｒ４：前記第４レンズ群の正レンズ像側面と、前記第４レンズ群の負レンズ物体側面とにより形成される、いわゆる空気レンズの屈折力
Ｐ４：前記第４レンズ群の屈折力
ｆ４：前記第４レンズ群の焦点距離
ｆＴ：望遠端における全系の焦点距離
尚、Ｐａｉｒ４は、下記の［数１］による。
【００１０】
【数１】
0005838500.tif 000002
ただし、
ｎ41：前記第４レンズ群の正レンズのｄ線に対する屈折率
ｎ42：前記第４レンズ群の負レンズのｄ線に対する屈折率
Ｒ42：前記第４レンズ群の正レンズの像側面の曲率半径
Ｒ43：前記第４レンズ群の負レンズの物体側面の曲率半径
Ｄ4：前記第４レンズ群の正レンズと、前記第４レンズ群の負レンズの軸上の空気間隔  【００１１】
小型と高変倍を兼ねそろえ、収差の良好に補正されたズームレンズを得るための、本発明の基本構成は物体側より順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群からなる。このような構成にすることによって、負レンズ群が二つになるため、レンズ系全体における屈折力の構成が対称形となり、歪曲収差やコマ収差、倍率色収差といった対称形によって補正される諸収差を効果的に補正することが可能となる。
第２レンズ群は、物体側から順に、像側に凹面を向けた負レンズと、像側に凹面を向けた負レンズと、物体側に凸面を向けた正レンズから構成される。物体側に像側に凹面を向けた負レンズを２枚並べることによって、径の大きな第１レンズ群から大きな角度で入射する光線をいち早く緩めるとともに、像面湾曲と歪曲を効果的に補正することが出来る。さらに、物体側に凸面を向けた正レンズを像側に配置することで、広角端での倍率色収差と望遠端での軸上色収差を効果的に補正することが出来る。また、負レンズと正レンズの間の空気間隔は極めて狭くなることが多く、レンズの製造誤差による光学性能への影響を受けやすいことから、接合することが望ましい。
【００１２】
条件式（１）は第４レンズ群の焦点距離と望遠端の焦点距離の比を規定している。条件式（１）の値が上限値を下回ることによって、第４レンズ群が適度な負の屈折力を有するので、従来の正負正正タイプの構成に比べ、第４レンズ群による負の跳ね上げの効果が加わるから、それより物体側の第１〜３レンズ群を通過する軸外光線がより光軸付近を通過するようになり、小型化が可能となる。一方、条件式（１）の値が下限値を上回ることによって第４レンズ群の過度な屈折力による軸外収差の発生を抑えることが出来る。また、以下の条件式を満たすことが望ましい。
−０．２０  ＜  ｆ４／ｆＴ  ＜  −０．０５      （１）’【００１３】
条件式（２）は第４レンズ群の正レンズと負レンズとにより形成される空気レンズの屈折力と第４レンズ群の屈折力の比を規定している。本発明のような正負正負正タイプのレンズ構成で、第４レンズ群に２枚のレンズを使用する際は製造誤差の影響等を考慮して正負もしくは負正の接合レンズと成っている場合が多いが、近年求められるような薄型かつ小型のズームレンズにおいては、第４レンズ群にも収差補正における負担は大きく、単レンズや接合レンズではコマ収差や像面湾曲といった軸外収差を補正する能力があまり高くないため、補正しきれない収差が残ってしまう。そこで、条件式（２）の値が下限値を上回るようにすることで、負の屈折力を有する空気レンズの作用によって、接合レンズを用いるよりも効果的に像面湾曲やコマ収差の補正を行うことが可能となる。一方、条件式（２）の値が上限値を下回るようにすることで、空気レンズを形作る第４レンズ群の各レンズの曲率がきつくなる事によって発生する軸外収差を抑えることが出来る。【００１４】
請求項２に記載のズームレンズは、請求項１に記載の発明において、前記第３レンズ群は、物体側より順に、正の３ｐ１レンズ、負の３ｎレンズ、正の３ｐ２レンズから構成され、以下の条件式を満足することを特徴とする。
０．１５  ＜  ｎ３ｎ−ｎ３ｐ２  ＜  ０．５０          （３）
３０  ＜  ν３ｐ２−ν３ｎ  ＜  ６０      （４）
ただし、
ｎ３ｎ：前記３ｎレンズの屈折率
ｎ３ｐ２：前記３ｐ２レンズの屈折率
ν３ｐ２：前記３ｐ２レンズのアッベ数
ν３ｎ：前記３ｎレンズのアッベ数【００１５】
本発明によれば、第３レンズ群は、物体側より順に、正の３ｐ１レンズ、負の３ｎレンズ、正の３ｐ２レンズから構成される。最も物体側に正の屈折力を有する３ｐ１レンズを配置することで、第２レンズ群の負のパワーによって発散されてくる光を効率よく収斂し、球面収差を効果的に補正できる。【００１６】
また、固体撮像素子の高画素化に伴い、より明るいズームレンズが求められた際に、Ｆナンバーを小さくすることによって発生する球面収差について、さらに、負の屈折力を有する３ｎレンズ、正の屈折力を有する３ｐ２レンズを配置することによって、負レンズと正レンズの組み合わせにより、Ｆナンバーを小さくすることにより発生した球面収差を効果的に補正し、さらに色収差やコマ収差を効果的に補正することが出来る。【００１７】
条件式（３）は３ｎレンズと３ｐ２レンズの屈折率の差を規定している。条件式（３）の値が下限値を上回ることで、屈折率の高い負レンズと屈折率の低い正レンズの組み合わせとなり、３ｐ１レンズで補正し切れなかった球面収差やコマ収差を効果的に補正することが出来る。一方、条件式（３）の値が上限値を下回ることで入手しやすい硝材で構成することが出来る。また、以下の条件式を満たすことが、より望ましい。
０．２０  ＜  ｎ３ｎ−ｎ３ｐ２  ＜  ０．４５      （３）’【００１８】
更に、条件式（４）は３ｐ２レンズと３ｎレンズのアッベ数の差を規定している。条件式（４）の値が下限値を上回ることで、分散の大きい負レンズと分散の小さい正レンズの組み合わせとなり、色収差を効果的に補正することが出来る。一方、条件式（４）の値が上限値を下回ることで入手しやすい硝材で構成することが出来る。また、以下の条件式を満たすことが望ましい。
４０  ＜  ν３ｐ２−ν３ｎ  ＜  ５５      （４）’【００１９】
また、３ｎレンズと３ｐ２レンズはレンズを通る光束が太く、レンズの製造誤差による光学性能への影響を受けやすい事から、３ｎレンズと３ｐ２レンズを接合することが望ましい。【００２２】
請求項３に記載のズームレンズは、請求項１または２に記載の発明において、以下の条件式を満足することを特徴とする。
０．２  ＜  ｎ42  −  ｎ41  ＜  ０．４      （５）
【００２３】
条件式（５）は第４レンズ群の正レンズと負レンズの屈折率の差を規定している。条件式（５）の値が下限値を上回ることによって、負の屈折力を持つ第４レンズ群において、低屈折率の正レンズと高屈折率の負レンズの組み合わせとなるので、ペッツバール和の増大を押さえ、像面湾曲の補正が可能となる。一方、条件式（５）の値が上限値を下回ることで入手しやすい硝材で構成することが出来る。また、以下の条件式を満たすことが望ましい。
０．２  ＜  ｎ42  −  ｎ41  ＜  ０．３      （５）’【００２４】
請求項４に記載のズームレンズは、請求項１〜３のいずれかに記載の発明において、以下の条件式を満足することを特徴とする。
１．５０  ＜  ｆ１／（ｆＷ×ｆＴ）1/2  ＜  ２．５０            （６）
−０．２０  ＜  ｆ２／（ｆＷ×ｆＴ）1/2  ＜  −０．４０        （７）
ただし、
ｆ１：前記第１レンズ群の焦点距離
ｆ２：前記第２レンズ群の焦点距離
ｆＷ：広角端における全系の焦点距離
ｆＴ：望遠端における全系の焦点距離
【００２５】
条件式（６）と条件式（７）は、それぞれ第１レンズ群、第２レンズ群の焦点距離と広角端と望遠端の中間の焦点距離の比を規定している。条件式（６）の値が上限値を下回り、条件式（７）の値が下限値を上回ることによって、変倍時に大きな役割を持つ正の屈折力を有する第１レンズ群と負の屈折力を有する第２レンズ群の屈折力がそれぞれ強くなり、高変倍化と薄型化を両立することが可能となる。一方、条件式（６）の値が下限値を上回り、条件式（７）の値が上限値を下回ることによって、第１レンズ群や第２レンズ群の過度な屈折力による軸外収差の発生を抑えることが可能となる。【００２６】
請求項５に記載のズームレンズは、請求項１〜４のいずれかに記載の発明において、前記第１レンズ群は、物体側より順に、１枚の負レンズと１枚の正レンズからなる接合レンズを有し、前記接合レンズの接合面は物体側に凸であり、以下の条件式を満たすことを特徴とする。
０．３  ＜  ｎ１Ｎ  −  ｎ１Ｐ  ＜  ０．６      （８）
ただし、
ｎ１Ｎ：前記第１レンズ群の接合レンズにおける負レンズのｄ線に対する屈折率
ｎ１Ｐ：前記第１レンズ群の接合レンズにおける正レンズのｄ線に対する屈折率
【００２７】
第１レンズ群は、物体側より順に、１枚の負レンズと１枚の正レンズからなる接合レンズを有する。更に条件式（８）は、接合レンズの負レンズと正レンズの屈折率の差を規定している。接合面が物体側に凸であり、条件式（８）の値が下限値を上回ることによって、接合面は負の屈折力を有する発散面となり、望遠端における球面収差を効果的に補正することが出来る。一方、条件式（８）の値が上限値を下回ることで入手しやすい硝材で構成することが出来る。【００２８】
また、接合レンズの像側に正レンズを配置することで、接合レンズの正の屈折面による屈折力を分担することが出来るので、接合レンズの正の屈折面による過度な屈折力によるコマ収差等の発生を抑えることが出来る。よって、接合レンズの像側に正レンズを配置することが望ましい。【００２９】
請求項６に記載のズームレンズは、請求項１〜５のいずれかに記載の発明において、以下の条件式を満足することを特徴とする。
１．５  ＜  （Ｄ１  ＋  Ｄ２）  ／  ｆＷ  ＜  ３．０          （９）
ただし、
Ｄ１：前記第１レンズ群の光軸上の厚さ
Ｄ２：前記第２レンズ群の光軸上の厚さ
ｆＷ：広角端における全系の焦点距離
【００３０】
条件式（９）は、第１レンズ群と第２レンズ群の光軸上の厚さの和と広角端における焦点距離の比を規定している。小型化、薄型化が求められているズームレンズでは、未使用時では各レンズ群が収納され、撮影時よりも薄型化されるのが一般的である。各レンズ群間の空気間隔は収納によって詰める事が出来るが、レンズ群の光軸上の厚さは収納によって詰めることが出来ない。そこで、条件式（９）の値が上限値を下回るようにすることで、第１レンズ群と第２レンズ群の光軸上の厚さが薄くなり、収納時のコンパクト化が可能となる。一方、条件式（９）の値が下限値を上回るようにすることで、第１レンズ群と第２レンズ群の過度な薄型化を防ぎ、レンズ性能に必要なコバ厚の確保等が可能となる。【００３１】
請求項７に記載のズームレンズは、請求項１〜６のいずれかに記載の発明において、前記第５レンズ群は、変倍時、合焦時ともに光軸方向に移動しないことを特徴とする。
【００３２】
第５レンズ群は固体撮像素子に最も近いレンズ群であり、第５レンズ群で変倍および合焦時に移動を行うと、固体撮像素子との距離が近づき、最終レンズでもゴミやキズの影響を受けやすくなる恐れもある。それに対し、第５レンズ群を移動しないことによって、最終レンズと固体撮像素子との距離が固定されるので、ゴミやキズの影響を抑えることができる。また、固体撮像素子が密封状態になるので、固体撮像素子にホコリ等のゴミが混入することを防ぐことができる。【００３３】
請求項８に記載のズームレンズは、請求項１〜７のいずれかに記載の発明において、前記第５レンズ群は、単レンズであることを特徴とする。
【００３４】
第５レンズ群は像面に近いためレンズを通る光束が細く、球面収差やコマ収差の発生量が比較的小さい。したがって、第５レンズ群を単レンズで構成することが、低コスト化や光学系の小型化を達成する上で望ましい。【００３５】
請求項９に記載のズームレンズは、請求項１〜８のいずれかに記載の発明において、前記ズームレンズは、前記第４レンズ群を移動させることにより、合焦を行うことを特徴とする。
【００３６】
第４レンズ群によって合焦を行うことによって、繰り出しによる光学全長の増加や前玉径の増大を招くことなく、近距離物体まで鮮明な画像を得ることが出来る。【００３７】
請求項１０に記載のズームレンズは、請求項１〜９のいずれかに記載の発明において、実質的にパワーを持たないレンズを更に有することを特徴とする。つまり、請求項１の構成に、実質的にパワーを持たないダミーレンズを付与した場合でも本発明の適用範囲内である。
【００３８】
請求項１１に記載の撮像装置は、請求項１〜１０のいずれかに記載のズームレンズを有することを特徴とする。
【発明の効果】
【００３９】
本発明によれば、コンパクト化と高変倍化の両立を達成しつつ、さらに諸収差が良好に補正されたズームレンズ及びそれを用いた撮像装置を提供することができる。
【図面の簡単な説明】
【００４０】
【図１】本実施の形態にかかる撮像装置を搭載したデジタルカメラの正面上部側から見た斜視図（ａ）及び背面下部側から見た斜視図（ｂ）である。
【図２】本実施の形態にかかるズームレンズを有する撮像装置のブロック図である。
【図３】実施例１のズームレンズの断面図である。
【図４】実施例１のズームレンズの収差図（球面収差、非点収差、歪曲収差）であり、（ａ）は広角端、（ｂ）は中間、（ｃ）は望遠端における収差図である。
【図５】実施例２のズームレンズの断面図である。
【図６】実施例２のズームレンズの収差図（球面収差、非点収差、歪曲収差）であり、（ａ）は広角端、（ｂ）は中間、（ｃ）は望遠端における収差図である。
【図７】実施例３のズームレンズの断面図である。
【図８】実施例３のズームレンズの収差図（球面収差、非点収差、歪曲収差）であり、（ａ）は広角端、（ｂ）は中間、（ｃ）は望遠端における収差図である。
【図９】実施例４のズームレンズの断面図である。
【図１０】実施例４のズームレンズの収差図（球面収差、非点収差、歪曲収差）であり、（ａ）は広角端、（ｂ）は中間、（ｃ）は望遠端における収差図である。
【図１１】実施例５のズームレンズの断面図である。
【図１２】実施例５のズームレンズの収差図（球面収差、非点収差、歪曲収差）であり、（ａ）は広角端、（ｂ）は中間、（ｃ）は望遠端における収差図である。
【図１３】実施例６のズームレンズの断面図である。
【図１４】実施例６のズームレンズの収差図（球面収差、非点収差、歪曲収差）であり、（ａ）は広角端、（ｂ）は中間、（ｃ）は望遠端における収差図である。
【図１５】実施例７のズームレンズの断面図である。
【図１６】実施例７のズームレンズの収差図（球面収差、非点収差、歪曲収差）であり、（ａ）は広角端、（ｂ）は中間、（ｃ）は望遠端における収差図である。
【発明を実施するための形態】
【００４１】
以下、本発明の実施の形態を図面に基づいて説明する。図１は、本実施の形態にかかる撮像装置を搭載したデジタルカメラの正面上部側から見た斜視図（ａ）及び背面下部側から見た斜視図（ｂ）であり、図２は、本実施の形態にかかるズームレンズを有する撮像装置のブロック図である。
【００４２】
図１（ａ）において、デジタルカメラＤＣは、ズームレンズ１０１を内蔵しカメラボディ８１に対して沈胴する沈胴式のレンズ鏡胴８０と、ファインダ窓８２と、レリーズ釦８３と、フラッシュ発光部８４と、ストラップ取り付け部８７と、ＵＳＢ端子８８と、レンズカバー８９とを有している。レンズカバー８９を開くと、不図示のスイッチがオン操作され、レンズ鏡胴８０が前方に繰り出して撮影状態になり、一方、撮影終了後に、レンズカバー８９を閉じると、不図示のスイッチがオフ操作されレンズ鏡胴８０は沈胴するようになっている。尚、レンズ鏡胴８０を沈胴させる構成については、良く知られているので以下の詳細は記載しない。
【００４３】
更に、図１（ｂ）において、デジタルカメラＤＣは、ファインダ接眼部９１と、レリーズ釦８３が押圧された時にＡＦやＡＥの情報を発光もしくは点滅により撮影者に表示する赤と緑の表示ランプ９２と、撮影者の操作に応じてズームアップ、ズームダウンをおこなうズーム釦９３と、各種設定用のメニュー／セット釦９５と、選択釦である４方向スイッチ９６と、画像やその他文字情報等を表示するモニターＬＣＤ１１２と、モニターＬＣＤ１１２において撮影した画像の再生を行うための再生釦９７と、モニターＬＣＤ１１２に表示された画像やその他文字情報の表示や消去を選択するディスプレイ釦９８と、撮影記録した画像の消去をおこなう消去釦９９と、三脚穴７１と、開閉自在な電池／カード蓋７２とを有する。撮影者は、メニュー／セット釦９５で、モニターＬＣＤ１１２上に各種のメニューを表示させ、選択釦９６で選択し、メニュー／セット釦９５で設定を確定することができる。電池／カード蓋７２の内部には、デジタルカメラＤＣの電源を供給する電池と、撮影した画像を記録するカード型のリムーバブルメモリが装填されるようになっている。
【００４４】
更に、デジタルカメラＤＣに搭載される撮像装置１００は、図２に示すように、ズームレンズ１０１と、ＡＰＳフォーマットである固体撮像素子１０２と、Ａ／Ｄ変換部１０３と、制御部１０４と、光学系駆動部１０５と、タイミング発生部１０６と、撮像素子駆動部１０７と、画像メモリ１０８と、画像処理部１０９と、画像圧縮部１１０と、画像記録部１１１と、モニターＬＣＤ１１２と、図１を参照して上述した釦群を含む動作部１１３とを備えて構成される。
【００４５】
ズームレンズ１０１は、被写体像を固体撮像素子１０２の撮像面に結像させる機能を有する。本実施の形態のズームレンズは、物体側より順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群から構成され、各レンズ群の間隔を変えることにより変倍を行うズームレンズにおいて、前記第４レンズ群は、物体側より順に、正レンズと負レンズで構成され、前記正レンズと前記負レンズは空気間隔を隔てており、以下の条件式を満たす。
−０．３０  ＜  ｆ４／ｆＴ  ＜  −０．０５      （１）
０．１  ＜  Ｐａｉｒ４／Ｐ４  ＜  １．５      （２）
ただし、
Ｐａｉｒ４：第４レンズ群の正レンズ像側面と、第４レンズ群の負レンズ物体側面とにより形成される、いわゆる空気レンズの屈折力
Ｐ４：第４レンズ群の屈折力
ｆ４：第４レンズ群の焦点距離
ｆＴ：望遠端における全系の焦点距離
尚、Ｐａｉｒ４は、下記の［数１］による。
【００４６】
【数１】
0005838500.tif 000003
ただし、
ｎ41：第４レンズ群の正レンズのｄ線に対する屈折率
ｎ42：第４レンズ群の負レンズのｄ線に対する屈折率
Ｒ42：第４レンズ群の正レンズの像側面の曲率半径
Ｒ43：第４レンズ群の負レンズの物体側面の曲率半径
Ｄ4：第４レンズ群の正レンズと、前記第４レンズ群の負レンズの軸上の空気間隔
【００４７】
固体撮像素子１０２は、ＣＣＤやＣＭＯＳ等の撮像素子であり、ＲＧＢカラーフィルターを備え、入射光をＲ、Ｇ、Ｂ毎に光電変換してそのアナログ信号を出力する。Ａ／Ｄ変換部１０３は、アナログ信号をデジタルの画像データに変換する。
【００４８】
制御部１０４は、撮像装置１００の各部を制御する。制御部１０４は、ＣＰＵ（Ｃｅｎｔｒａｌ Ｐｒｏｃｅｓｓｉｎｇ Ｕｎｉｔ）、ＲＡＭ（Ｒａｎｄｏｍ Ａｃｃｅｓｓ Ｍｅｍｏｒｙ）、ＲＯＭ（Ｒｅａｄ Ｏｎｌｙ Ｍｅｍｏｒｙ）を含み、ＲＯＭから読み出されてＲＡＭに展開された各種プログラムと、ＣＰＵとの協働で各種処理を実行する。
【００４９】
光学系駆動部１０５は、制御部１０４の制御により、変倍、合焦、露出等において、ズームレンズ１０１を駆動制御する。タイミング発生部１０６は、アナログ信号出力用のタイミング信号を出力する。撮像素子駆動部１０７は、固体撮像素子１０２を走査駆動制御する。
【００５０】
画像メモリ１０８は、画像データを読み出し及び書き込み可能に記憶する。画像処理部１０９は、画像データに各種画像処理を施す。画像圧縮部１１０は、ＪＰＥＧ（Ｊｏｉｎｔ Ｐｈｏｔｏｇｒａｐｈｉｃ Ｅｘｐｅｒｔｓ Ｇｒｏｕｐ）等の圧縮方式により、撮像画像データを圧縮する。画像記録部１１１は、図示しないスロットにセットされた、メモリカード等の記録メディアに画像データを記録する。
【００５１】
モニターＬＣＤ１１２は、カラー液晶パネル等であり、撮影後の画像データ、撮影前のスルー画像、各種操作画面等を表示する。動作部１１３は、図１を参照して上述した釦群を介して、ユーザにより操作入力された情報を制御部１０４に出力する。
【００５２】
ここで、撮像装置１００における動作を説明する。被写体撮影では、被写体のモニタリング（スルー画像表示）と、画像撮影実行とが行われる。モニタリングにおいては、ズームレンズ１０１を介して得られた被写体の像が、固体撮像素子１０２の受光面（撮像面）に結像される。ズームレンズ１０１の撮影光軸後方に配置された固体撮像素子１０２が、タイミング発生部１０６、撮像素子駆動部１０７によって走査駆動され、一定周期毎に結像した光像に対応する光電変換出力としてのアナログ信号を１画面分出力する。
【００５３】
このアナログ信号は、ＲＧＢの各原色成分毎に適宜ゲイン調整された後に、Ａ／Ｄ変換部１０３でデジタルデータに変換される。そのデジタルデータは、画像処理部１０９により、画素補間処理及びγ補正処理を含むカラープロセス処理が行なわれて、デジタル値の輝度信号Ｙ及び色差信号Ｃｂ、Ｃｒ（画像データ）が生成されて画像メモリ１０８に格納され、定期的にその信号が読み出されてそのビデオ信号が生成されて、モニターＬＣＤ１１２に出力される。尚、ホワイトバランス調整手段である制御部１０４は、画像信号における青色の波長成分の信号強度が他の色の信号強度よりも小さくなるようにホワイトバランスを調整する。
【００５４】
このモニターＬＣＤ１１２は、モニタリングにおいては電子ファインダとして機能し、撮像画像をリアルタイムに表示することとなる。この状態で、随時、撮影者のレリーズ釦８３の操作に応じてなされる動作部１１３を介する入力に基づいて、光学系駆動部１０５の駆動によりズームレンズ１０１の変倍、合焦、露出等が設定される。
【００５５】
このようなモニタリング状態において、静止画撮影を行ないたいタイミングで、ユーザがレリーズ釦８３を操作することにより、静止画像データが撮影される。レリーズ釦８３の操作に応じて、画像メモリ１０８に格納された１コマの画像データが読み出されて、画像圧縮部１１０により圧縮される。その圧縮された画像データが、画像記録部１１１によりリムーバブルメモリに記録される。
【００５６】
尚、不図示のパワースイッチをオフ操作することで、ズームレンズ１０１は、互いの群間隔が狭くなるように移動し、沈胴動作を行う。このとき、第３レンズ群と第５レンズ群（又は第４レンズ群）を、光路から退避させると、沈胴後の全長が短くなるので好ましい。
【００５７】
なお、上記実施の形態及び各実施例における記述は、本発明に係る好適なズームレンズ及び撮像装置の一例であり、これに限定されるものではない。又、本撮像装置はビデオカメラにも搭載可能である。
【００５８】
（実施例）
次に、上述した実施の形態に好適な実施例について説明する。但し、以下に示す実施例により本発明が限定されるものではない。
ｆ  ：ズームレンズ全系の焦点距離
Ｆｎｏ：Ｆナンバー
２Ｙ：固体撮像素子の撮像面対角線長
Ｒ  ：曲率半径
Ｄ  ：軸上面間隔
Ｎｄ：レンズ材料のｄ線に対する屈折率
νｄ：レンズ材料のアッベ数
【００５９】
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数２」で表す。
【００６０】
【数２】
0005838500.tif 000004
ただし、
Ａｉ：ｉ次の非球面係数
Ｒ  ：曲率半径
Ｋ  ：円錐定数
【００６１】
（実施例１）
実施例１のレンズデータを表１に示す。なお、これ以降（表のレンズデータを含む）において、１０のべき乗数（たとえば２．５×１０-02）を、Ｅ（たとえば２．５Ｅ−０２）を用いて表すものとする。図３は実施例１のズームレンズの広角端における断面図である。図中Gr1は正の第１レンズ群であって、負の第１レンズＬ１、正の第２レンズＬ２（Ｌ１，Ｌ２は接合され、接合面は物体側に凸）、第３レンズＬ３から構成され、Gr2は負の第２レンズ群であって、像側に凹面を向けた負の第４レンズＬ４、像側に凹面を向けた負の第５レンズＬ５、物体側に凸面を向けた正の第６レンズＬ６（Ｌ５，Ｌ６は接合されている）から構成され、Gr3は正の第３レンズ群であって、第７レンズ（正の３ｐ１レンズ）Ｌ７、第８レンズ（負の３ｎレンズ）Ｌ８、第９レンズ（正の３ｐ２レンズ）Ｌ９（Ｌ８，Ｌ９は接合されている）から構成され、Gr4は負の第４レンズ群であって、正の第１０レンズＬ１０、負の第１１レンズＬ１１から構成され、Gr5は正の第５レンズ群であって、第１２レンズＬ１２から構成されており、Sは開口絞り、Iは撮像面を示す。また、F1、F2は光学的ローパスフィルタやＩＲカットフィルタ、固体撮像素子のシールガラス等を想定した平行平板を示す。
【００６２】
［表１］
実施例1          
f = 4.46 - 16.75 - 63.61
Fno = 3.7 - 5.2 - 5.5
ズーム比 = 14.25
面番号  R(mm)   D(mm)   Nd              νd     有効半径(mm)
1       38.749  0.90    2.00070         25.5    10.38 
2       23.068  3.75    1.49700         81.6    10.08 
3      -192.187 0.12                            10.00 
4       19.233  2.83    1.72920         54.7    9.70 
5       56.392  d1                              9.41 
6*      47.642  0.50    1.88200         37.2    4.32 
7*      5.186   2.41                            3.33 
8       -7.461  0.50    1.72920         54.7    3.01 
9       11.705  1.25    1.94590         18.0    2.95 
10      -44.804 d2                              2.90 
11(絞り) ∞     d3                              1.86 
12*     4.592   1.39    1.55330         71.7    2.19 
13*    -23.478  0.65                            2.15 
14      17.796  0.50    1.88300          40.8   2.06 
15      3.528   2.41    1.49710          81.6   1.96 
16*     -7.018  d4                              2.00 
17      -11.355 1.06    1.59270          35.5   2.19 
18      -4.430  0.79                            2.26 
19*     -2.548  0.50    1.85130          40.1   2.12 
20*     -8.970  d5                              2.38 
21*     32.555  2.66    1.61880          63.9   3.95 
22*     -7.688  1.00                            4.19 
23      ∞      0.30    1.51680          64.2   4.10 
24      ∞      0.50                            4.09
25      ∞      0.50    1.51680          64.2   4.06
26      ∞      0.50                            4.05 
非球面係数        
第6面                                 第19面
K=0.00000E+00                          K=0.00000E+00
A4=-0.20794E-02                        A4=0.13723E-01
A6=0.18305E-03                         A6=0.15383E-02
A8=-0.62827E-05                        A8=-0.28605E-03
A10=0.78352E-07                        A10=-0.15988E-04
A12=0.90523E-05
第7面                                 第20面
K=0.00000E+00                          K=0.00000E+00
A4=-0.24564E-02                        A4=0.48200E-02
A6=0.89980E-04                         A6=0.15189E-02
A8=0.98852E-05                         A8=-0.50982E-03
A10=-0.38988E-06                       A10=0.56169E-04
A12=-0.21953E-05
第12面                                 第21面
K=0.00000E+00                           K=0.00000E+00
A4=-0.82139E-03                         A4=-0.24712E-03
A6=-0.21836E-03                         A6=-0.20341E-03
A8=0.10212E-03                          A8=0.17620E-04
A10=-0.23399E-04                        A10=-0.52041E-06
A12=0.17517E-05                         A12=0.64744E-08
第13面                                 第22面
K=0.00000E+00                           K=0.00000E+00
A4=0.93910E-03                          A4=0.53120E-02
A6=-0.22937E-04                         A6=-0.80634E-03
A8=0.38098E-04                          A8=0.52452E-04
A10=-0.13873E-04                        A10=-0.16847E-05
A12=0.12349E-05                         A12=0.24029E-07
第16面
K=0.00000E+00
A4=-0.20827E-04
A6=-0.17706E-03
A8=0.63702E-04
A10=-0.12513E-04
A12=0.89882E-06
各ポジション（広角、中間、望遠）の焦点距離、Fナンバー、群間
F       Fno     画角    ２Y     d1      d2      d3      d4      d5
4.47    3.70    82.4    6.642   0.50    11.06   0.50    2.99    1.00
16.75   5.20    26.3    8.103   9.82    3.51    1.01    5.69    3.26
63.61   5.50    7.0     8.077   19.80   0.70    0.66    4.01    5.23
レンズ群データ
レンズ群   始面     焦点距離(mm)
1          1        31.15
2          6        -4.49
3          12       7.09 
4          17       -7.20 
5          21       10.31 
【００６３】
図４は実施例１の収差図（球面収差、非点収差、歪曲収差）である。ここで、図４（ａ）は広角端における収差図である。図４（ｂ）は中間における収差図である。図４（ｃ）は望遠端における収差図である。ここで、球面収差図において、ｇはｇ線、ｄはｄ線に対する球面収差量をそれぞれ表す。また、非点収差図において、実線Ｓはサジタル面、点線Ｍはメリディオナル面をそれぞれ表す（以下同じ）。
【００６４】
実施例１のズームレンズでは、広角端から望遠端への変倍に際し、第１レンズ群Ｇｒ１、第２レンズ群Ｇｒ２、開口絞りＳ、第３レンズ群Ｇｒ３、第４レンズ群Ｇｒ４が光軸方向に沿って移動し、各レンズ群の間隔を変えることにより変倍を行うことが出来る。第５レンズ群Ｇｒ５は変倍に際し固定されている。また、第４レンズ群Ｇｒ４を移動させることによって無限遠から有限距離への合焦を行うことが出来る。なお、第４レンズＬ４、第７レンズＬ７、第９レンズＬ９、第１１レンズＬ１１、第１２レンズＬ１２はガラスモールドレンズ、それ以外のレンズはガラス材料による研磨レンズを想定している。
【００６５】
（実施例２）
実施例２のレンズデータを表２に示す。図５は実施例２のズームレンズの広角端における断面図である。図中Gr1は正の第１レンズ群であって、負の第１レンズＬ１、正の第２レンズＬ２（Ｌ１，Ｌ２は接合され、接合面は物体側に凸）、第３レンズＬ３から構成され、Gr2は負の第２レンズ群であって、像側に凹面を向けた負の第４レンズＬ４、像側に凹面を向けた負の第５レンズＬ５、物体側に凸面を向けた正の第６レンズＬ６（Ｌ５，Ｌ６は接合されている）から構成され、Gr3は正の第３レンズ群であって、第７レンズ（正の３ｐ１レンズ）Ｌ７、第８レンズ（負の３ｎレンズ）Ｌ８、第９レンズ（正の３ｐ２レンズ）Ｌ９（Ｌ８，Ｌ９は接合されている）から構成され、Gr4は負の第４レンズ群であって、正の第１０レンズＬ１０、負の第１１レンズＬ１１から構成され、Gr5は正の第５レンズ群であって、第１２レンズＬ１２から構成されており、Sは開口絞り、Iは撮像面を示す。また、F1、F2は光学的ローパスフィルタやＩＲカットフィルタ、固体撮像素子のシールガラス等を想定した平行平板を示す。
【００６６】
［表２］
実施例2          
f = 6.2 - 16.75 - 63.61
Fno = 4.0 - 5.1 - 5.5
ズーム比 = 10.26
面番号  R(mm)   D(mm)   Nd              νd     有効半径(mm)
1       36.486  0.70    2.00070         25.5    10.59
2       22.573  3.85    1.49700         81.6    10.18 
3      -214.687 0.12                            10.00 
4       18.360  2.69    1.72920         54.7    9.66
5       43.652  d1                              9.36 
6*      182.928 0.50    1.77250         49.6    3.91 
7       5.811   2.44                            3.17 
8       -6.150  0.50    1.88300         40.8    2.78
9       30.834  1.20    1.94590         18.0    2.82 
10      -13.730 d2                              3.10
11(絞り) ∞     d3                              1.75
12*     4.064   1.37    1.62260         58.2    2.13 
13*    -106.308 0.33                            2.06 
14      19.712  0.50    1.88300         40.8    2.01 
15      2.960   2.76    1.49710         81.6    1.89 
16*     -6.253  d4                              2.00 
17      -12.070 1.03    1.59270         35.5    2.20 
18      -4.717  1.07                            2.27 
19*     -2.507  0.50    1.88200         37.2    2.14 
20*     -8.537  d5                              2.45 
21*  -13024.303 2.50    1.80140         45.5    4.07 
22*     -6.718  1.00                            4.27 
23      ∞      0.30    1.51680         64.2    4.09 
24      ∞      0.50                            4.07
25      ∞      0.50    1.51680         64.2    4.03 
26      ∞      0.30                            4.01 
非球面係数
第6面                                  第19面
K=0.00000E+00                           K=0.00000E+00
A4=0.22472E-03                          A4=0.98592E-02
A6=0.92212E-06                          A6=0.17369E-02
A8=-0.21856E-06                         A8=-0.13721E-03
A10=0.10070E-07                         A10=-0.28247E-04
A12=0.90538E-05
第12面                                 第20面
K=0.00000E+00                           K=0.00000E+00
A4=-0.93187E-03                         A4=0.19692E-02
A6=-0.12020E-03                         A6=0.14338E-02
A8=0.42022E-04                          A8=-0.40705E-03
A10=-0.17834E-04                        A10=0.47233E-04
A12=0.17510E-05                         A12=-0.21963E-05
第13面                                 第21面
K=0.00000E+00                           K=0.00000E+00
A4=0.92958E-03                          A4=-0.99304E-03
A6=0.53352E-04                          A6=0.14587E-04
A8=-0.39360E-04                         A8=0.15118E-05
A10=-0.54305E-05                        A10=0.14160E-08
A12=0.12353E-05                         A12=-0.31027E-09
第16面                                 第22面
K=0.00000E+00                           K=0.00000E+00
A4=0.41208E-04                          A4=0.20372E-02
A6=-0.21390E-03                         A6=-0.23088E-03
A8=0.85192E-04                          A8=0.16034E-04
A10=-0.16187E-04                        A10=-0.52641E-06
A12=0.90049E-06                         A12=0.84343E-08
各ポジション（広角、中間、望遠）の焦点距離、Fナンバー、群間
F       Fno     画角    2Y      d1      d2      d3      d4      d5
6.20    4.00    64.4    7.367   1.59    7.36    0.99    3.45    1.41
16.75   5.10    26.3    8.015   10.44   3.29    1.29    4.52    3.65
63.61   5.50    7.0     7.962   20.36   0.22    0.80    2.62    5.95
レンズ群データ        
レンズ群   始面     焦点距離(mm)
1          1        32.00 
2          6        -4.89 
3          12       7.04 
4          17       -6.78 
5          21       8.39 
【００６７】
図６は実施例２の収差図（球面収差、非点収差、歪曲収差）である。ここで、図６（ａ）は広角端における収差図である。図６（ｂ）は中間における収差図である。図６（ｃ）は望遠端における収差図である。
【００６８】
実施例２のズームレンズでは、広角端から望遠端への変倍に際し、第１レンズ群Ｇｒ１、第２レンズ群Ｇｒ２、開口絞りＳ、第３レンズ群Ｇｒ３、第４レンズ群Ｇｒ４が光軸方向に沿って移動し、各レンズ群の間隔を変えることにより変倍を行うことが出来る。第５レンズ群Ｇｒ５は変倍に際し固定されている。また、第４レンズ群Ｇｒ４を移動させることによって無限遠から有限距離への合焦を行うことが出来る。なお、第４レンズＬ４、第７レンズＬ７、第９レンズＬ９、第１１レンズＬ１１、第１２レンズＬ１２はガラスモールドレンズ、それ以外のレンズはガラス材料による研磨レンズを想定している。
【００６９】
（実施例３）
実施例３のレンズデータを表３に示す。図７は実施例３のズームレンズの広角端における断面図である。図中Gr1は正の第１レンズ群であって、負の第１レンズＬ１、正の第２レンズＬ２（Ｌ１，Ｌ２は接合され、接合面は物体側に凸）、第３レンズＬ３から構成され、Gr2は負の第２レンズ群であって、像側に凹面を向けた負の第４レンズＬ４、像側に凹面を向けた負の第５レンズＬ５、物体側に凸面を向けた正の第６レンズＬ６（Ｌ５，Ｌ６は接合されている）から構成され、Gr3は正の第３レンズ群であって、第７レンズ（正の３ｐ１レンズ）Ｌ７、第８レンズ（負の３ｎレンズ）Ｌ８、第９レンズ（正の３ｐ２レンズ）Ｌ９（Ｌ８，Ｌ９は接合されている）から構成され、Gr4は負の第４レンズ群であって、正の第１０レンズＬ１０、負の第１１レンズＬ１１から構成され、Gr5は正の第５レンズ群であって、第１２レンズＬ１２から構成されており、Sは開口絞り、Iは撮像面を示す。また、F1、F2は光学的ローパスフィルタやＩＲカットフィルタ、固体撮像素子のシールガラス等を想定した平行平板を示す。
【００７０】
［表３］
実施例3          
f = 4.47 - 16.75 - 63.6
Fno = 3.7 - 5.1 - 5.5
ズーム比 = 14.24
面番号  R(mm)   D(mm)   Nd              νd     有効半径(mm)
1       36.296  0.70    2.00070         25.5    10.36 
2       22.089  3.63    1.49700         81.6    10.07 
3      -301.240 0.12                            10.00 
4       18.668  2.86    1.72920         54.7    9.69 
5       52.150  d1                              9.38 
6*      48.009  0.50    1.77250         49.6    4.73 
7       5.890   2.49                            3.57 
8       -6.541  0.50    1.88300         40.8    3.15 
9       15.577  1.28    1.94590         18.0    3.12 
10      -20.356 d2                              3.10 
11(絞り) ∞     d3                              1.83 
12*      4.081  1.13    1.69350         53.2    2.22 
13*      17.369 0.23                            2.09 
14       14.689 0.50    1.91080         35.3    2.07
15       3.618  3.08    1.49710         81.6    1.96 
16*      -6.324 d4                              2.00 
17      -16.170 1.06    1.59270         35.5    2.12 
18       -4.910 0.96                            2.17 
19*      -2.515 0.50    1.85130         40.1    2.02
20*     -11.744 d5                              2.26
21*      25.082 2.77    1.53050         55.7    4.27 
22*      -5.213 1.00                            4.38 
23       ∞     0.30    1.51680         64.2    4.17 
24       ∞     0.50                            4.15
25       ∞     0.50    1.51680         64.2    4.11 
26       ∞     0.30                            4.08 
非球面係数
第6面                                  第19面
K=0.00000E+00                           K=0.00000E+00
A4=0.10994E-03                          A4=0.16951E-01
A6=0.30694E-05                          A6=-0.39899E-03
A8=-0.29828E-06                         A8=0.15055E-03
A10=0.10957E-07                         A10=-0.38582E-04
A12=0.83937E-05
第12面                                 第20面
K=0.00000E+00                           K=0.00000E+00
A4=0.60360E-03                          A4=0.81166E-02
A6=0.11224E-03                          A6=-0.41875E-03
A8=0.28659E-04                          A8=-0.10620E-03
A10=-0.84768E-05                        A10=0.20099E-04
A12=0.14956E-05                         A12=-0.10919E-05
第13面                                 第21面
K=0.00000E+00                           K=0.00000E+00
A4=0.28736E-02                          A4=-0.12094E-02
A6=0.25317E-03                          A6=0.98659E-04
A8=0.16859E-04                          A8=-0.55443E-05
A10=-0.11694E-04                        A10=0.20532E-06
A12=0.27366E-05                         A12=-0.19720E-08
第16面                                 第22面
K=0.00000E+00                           K=0.00000E+00
A4=0.60417E-03                          A4=0.35216E-02
A6=0.54828E-04                          A6=-0.27674E-03
A8=-0.93917E-05                         A8=0.21535E-04
A10=0.48482E-05                         A10=-0.85591E-06
A12=-0.31607E-06                        A12=0.16839E-07
各ポジション（広角、中間、望遠）の焦点距離、Fナンバー、群間
F       Fno     画角    ２Y     d1      d2      d3      d4      d5
4.47    3.70    82.4    6.642   0.30    12.01   0.00    2.51    1.01
16.75   5.10    26.3    8.157   9.52    3.73    1.15    4.53    3.88
63.60   5.50    7.0     8.107   19.03   0.00    1.18    3.34    6.13
レンズ群データ        
レンズ群   始面     焦点距離(mm)
1          1        31.11 
2          6        -4.76 
3          12       6.98
4          17       -6.30 
5          21       8.40 
【００７１】
図８は実施例３の収差図（球面収差、非点収差、歪曲収差）である。ここで、図８（ａ）は広角端における収差図である。図８（ｂ）は中間における収差図である。図８（ｃ）は望遠端における収差図である。
【００７２】
実施例３のズームレンズでは、広角端から望遠端への変倍に際し、第１レンズ群Ｇｒ１、第２レンズ群Ｇｒ２、開口絞りＳ、第３レンズ群Ｇｒ３、第４レンズ群Ｇｒ４が光軸方向に沿って移動し、各レンズ群の間隔を変えることにより変倍を行うことが出来る。第５レンズ群Ｇｒ５は変倍に際し固定されている。また、第４レンズ群Ｇｒ４を移動させることによって無限遠から有限距離への合焦を行うことが出来る。なお、第４レンズＬ４、第７レンズＬ７、第９レンズＬ９、第１１レンズＬ１１はガラスモールドレンズ、第１２レンズＬ１２はプラスチックレンズ、それ以外のレンズはガラス材料による研磨レンズを想定している。
【００７３】
（実施例４）
実施例４のレンズデータを表４に示す。図９は実施例４のズームレンズの広角端における断面図である。図中Gr1は正の第１レンズ群であって、負の第１レンズＬ１、正の第２レンズＬ２（Ｌ１，Ｌ２は接合され、接合面は物体側に凸）、第３レンズＬ３から構成され、Gr2は負の第２レンズ群であって、像側に凹面を向けた負の第４レンズＬ４、像側に凹面を向けた負の第５レンズＬ５、物体側に凸面を向けた正の第６レンズＬ６から構成され、Gr3は正の第３レンズ群であって、第７レンズ（正の３ｐ１レンズ）Ｌ７、第８レンズ（負の３ｎレンズ）Ｌ８、第９レンズ（正の３ｐ２レンズ）Ｌ９（Ｌ８，Ｌ９は接合されている）から構成され、Gr4は負の第４レンズ群であって、正の第１０レンズＬ１０、負の第１１レンズＬ１１から構成され、Gr5は正の第５レンズ群であって、第１２レンズＬ１２から構成されており、Sは開口絞り、Iは撮像面を示す。また、F1、F2は光学的ローパスフィルタやＩＲカットフィルタ、固体撮像素子のシールガラス等を想定した平行平板を示す。
【００７４】
［表４］
実施例4          
f = 4.46 - 16.83 - 45.69
Fno = 3.7 - 5.1 - 6.08
ズーム比 = 10.24
面番号  R(mm)   D(mm)   Nd              νd     有効半径(mm)
1       30.557  0.70    2.00070         25.5    10.46 
2       19.535  3.79    1.49700         81.6    9.78 
3       661.736 0.12                            9.53 
4       17.327  3.06    1.72920         54.7    8.82 
5       47.230  d1                              8.37 
6*      36.672  0.50    1.88300         40.8    4.63 
7       6.821   2.08                            3.67 
8       -9.069  0.50    1.88300         40.8    3.35 
9       7.432   0.30                            3.13 
10      8.678   1.39    1.94590         18.0    3.17 
11     -626.938 d2                              3.10 
12(絞り) ∞     d3                              1.85 
13*     4.010   1.29    1.72900         54.0    2.31 
14*     11.432  0.28                            2.16 
15      15.223  0.50    1.91080         35.3    2.14 
16      3.876   1.91    1.49710         81.6    2.01 
17*     -6.005  d4                              2.00 
18      42.463  1.09    1.63980         34.6    2.06 
19      -6.756  0.57                            2.06 
20*     -3.258  0.50    1.85130         40.1    1.96 
21*     67.964  d5                              2.06 
22*     111.311 2.87    1.49710         81.6    4.40 
23*     -5.201  1.58                            4.44 
24      ∞      0.30    1.51680         64.2    4.10 
25      ∞      0.50                            4.07 
26      ∞      0.50    1.51680         64.2    4.02 
27      ∞      1.05                            3.98 
非球面係数
第6面                                  第20面
K=0.00000E+00                           K=0.00000E+00
A4=0.10283E-04                          A4=0.17498E-01
A6=0.25137E-05                          A6=-0.25709E-02
A8=-0.90226E-07                         A8=0.30881E-03
A10=0.39120E-08                         A10=-0.13594E-04
A12=-0.41775E-08
第13面                                 第21面
K=0.00000E+00                           K=0.00000E+00
A4=0.51940E-03                          A4=0.12609E-01
A6=0.13454E-04                          A6=-0.22292E-02
A8=-0.17092E-04                         A8=0.22894E-03
A10=0.20255E-05                         A10=-0.10931E-04
A12=-0.30908E-06                        A12=0.10329E-07
第14面                                 第22面
K=0.00000E+00                           K=0.00000E+00
A4=0.30825E-02                          A4=0.21680E-03
A6=0.50419E-05                          A6=0.33643E-04
A8=-0.27576E-04                         A8=-0.11423E-05
A10=-0.28873E-05                        A10=0.51484E-07
A12=0.20701E-07                         A12=-0.78113E-10
第17面                                 第23面
K=0.00000E+00                           K=0.00000E+00
A4=0.77727E-03                          A4=0.23096E-02
A6=0.26352E-03                          A6=-0.87254E-04
A8=-0.34749E-04                         A8=0.91883E-05
A10=0.14507E-04                         A10=-0.40487E-06
A12=-0.32749E-06                        A12=0.10259E-07
各ポジション（広角、中間、望遠）の焦点距離、Fナンバー、群間
F       Fno     画角    ２Y     d1      d2      d3      d4      d5
4.46    3.70    82.4    6.633   0.33    12.25   0.00    2.07    1.00
16.83   5.10    26.1    7.913   9.12    4.21    1.33    3.78    4.79
45.69   6.08    9.8     7.717   14.66   0.50    1.79    4.86    7.43
レンズ群データ
レンズ群   始面     焦点距離(mm)
1          1        29.72 
2          6        -4.54 
3          13       6.77 
4          18       -6.86 
5          22       10.08 
【００７５】
図１０は実施例４の収差図（球面収差、非点収差、歪曲収差）である。ここで、図１０（ａ）は広角端における収差図である。図１０（ｂ）は中間における収差図である。図１０（ｃ）は望遠端における収差図である。
【００７６】
実施例４のズームレンズでは、広角端から望遠端への変倍に際し、第１レンズ群Ｇｒ１、第２レンズ群Ｇｒ２、開口絞りＳ、第３レンズ群Ｇｒ３、第４レンズ群Ｇｒ４が光軸方向に沿って移動し、各レンズ群の間隔を変えることにより変倍を行うことが出来る。第５レンズ群Ｇｒ５は変倍に際し固定されている。また、第４レンズ群Ｇｒ４を移動させることによって無限遠から有限距離への合焦を行うことが出来る。なお、第４レンズＬ４、第７レンズＬ７、第９レンズＬ９、第１１レンズＬ１１、第１２レンズＬ１２はガラスモールドレンズ、それ以外のレンズはガラス材料による研磨レンズを想定している。
【００７７】
（実施例５）
実施例５のレンズデータを表５に示す。図１１は実施例５のズームレンズの広角端における断面図である。図中Gr1は正の第１レンズ群であって、負の第１レンズＬ１、正の第２レンズＬ２（Ｌ１，Ｌ２は接合され、接合面は物体側に凸）、第３レンズＬ３から構成され、Gr2は負の第２レンズ群であって、像側に凹面を向けた負の第４レンズＬ４、像側に凹面を向けた負の第５レンズＬ５、物体側に凸面を向けた正の第６レンズＬ６から構成され、Gr3は正の第３レンズ群であって、第７レンズ（正の３ｐ１レンズ）Ｌ７、第８レンズ（負の３ｎレンズ）Ｌ８、第９レンズ（正の３ｐ２レンズ）Ｌ９（Ｌ８，Ｌ９は接合されている）から構成され、Gr4は負の第４レンズ群であって、正の第１０レンズＬ１０、負の第１１レンズＬ１１から構成され、Gr5は正の第５レンズ群であって、第１２レンズＬ１２から構成されており、Sは開口絞り、Iは撮像面を示す。また、F1、F2は光学的ローパスフィルタやＩＲカットフィルタ、固体撮像素子のシールガラス等を想定した平行平板を示す。
【００７８】
［表５］
実施例5          
f = 4.34 - 16.27 - 61.86
Fno = 3.7 - 5.1 - 5.5        
ズーム比 = 14.25
面番号  R(mm)   D(mm)   Nd              νd     有効半径(mm)
1       40.914  0.70    1.90200         25.1    10.96 
2       22.109  3.67    1.49700         81.6    10.07 
3      -223.464 0.12                            10.00 
4       18.995  2.75    1.77250         49.6    9.72 
5       50.282  d1                              9.43 
6       41.046  0.50    1.88300         40.8    4.78 
7       5.191   2.33                            3.57 
8*      -16.224 0.50    1.85130         40.1    3.34 
9*      8.612   0.20                            3.19 
10      7.672   1.70    1.94590         18.0    3.25 
11      51.298  d2                              3.10 
12(絞り) ∞     d3                              1.65 
13*     5.200   1.21    1.80140         45.5    2.06 
14*     -48.265 0.22                            2.04 
15      -23.431 0.50    1.80610         33.3    2.00 
16      4.500   1.95    1.49710         81.6    1.95 
17*     -5.156  d4                              2.00 
18      16.852  1.24    1.59270         35.5    2.20 
19      -6.316  0.39                            2.18 
20*     -7.272  0.50    1.85130         40.1    2.07 
21*     5.380   d5                              2.15 
22*     44.975  2.50    1.49710         81.6    4.22 
23*     -10.336 1.00                            4.13 
24      ∞      0.30    1.51680         64.2    3.98 
25      ∞      0.50                            3.96
26      ∞      0.50    1.51680         64.2    3.95 
27      ∞      0.95                            3.99 
非球面係数
第8面                                  第20面
K=0.00000E+00                           K=0.00000E+00
A4=-0.26324E-02                         A4=-0.78448E-02
A6=0.16164E-03                          A6=0.13756E-02
A8=0.61898E-06                          A8=-0.16895E-03
A10=-0.28852E-06                        A10=0.79765E-05
A12=-0.41775E-08
第9面                                  第21面
K=0.00000E+00                           K=0.00000E+00
A4=-0.21608E-02                         A4=-0.78719E-02
A6=0.19453E-03                          A6=0.14708E-02
A8=0.15386E-05                          A8=-0.18594E-03
A10=-0.38846E-06                        A10=0.97015E-05
A12=0.10329E-07
第13面                                 第22面
K=0.00000E+00                           K=0.00000E+00
A4=-0.58987E-03                         A4=0.13668E-02
A6=-0.75182E-04                         A6=0.11470E-03
A8=-0.20223E-04                         A8=-0.89183E-05
A10=-0.50262E-05                        A10=0.30217E-06
A12=-0.30908E-06                        A12=-0.30985E-08
第14面                                 第23面
K=0.00000E+00                           K=0.00000E+00
A4=0.18263E-03                          A4=0.11363E-02
A6=0.46907E-04                          A6=0.63828E-05
A8=-0.96349E-04                         A8=0.44685E-05
A10=0.53110E-06                         A10=-0.41337E-06
A12=0.20701E-07                         A12=0.11047E-07
第17面        
K=0.00000E+00
A4=0.19647E-02
A6=-0.93669E-04
A8=0.52370E-04
A10=-0.34576E-06
A12=-0.32749E-06
各ポジション（広角、中間、望遠）の焦点距離、Fナンバー、群間
F       Fno     画角    ２Y     d1      d2      d3      d4      d5
4.34    3.70    86.1    6.838   0.37    10.05   1.08    2.08    1.01
16.27   5.10    28.0    8.172   9.83    2.29    1.30    4.08    3.19
61.86   5.50    7.5     7.543   20.26   0.13    1.50    0.88    7.65
レンズ群データ        
レンズ群   始面     焦点距離(mm)
1          1        31.25 
2          6        -4.88 
4          13       6.59
5          18       -7.88 
6          22       17.17 
【００７９】
図１２は実施例５の収差図（球面収差、非点収差、歪曲収差）である。ここで、図１２（ａ）は広角端における収差図である。図１２（ｂ）は中間における収差図である。図１２（ｃ）は望遠端における収差図である。
【００８０】
実施例５のズームレンズでは、広角端から望遠端への変倍に際し、第１レンズ群Ｇｒ１、第２レンズ群Ｇｒ２、開口絞りＳ、第３レンズ群Ｇｒ３、第４レンズ群Ｇｒ４が光軸方向に沿って移動し、各レンズ群の間隔を変えることにより変倍を行うことが出来る。第５レンズ群Ｇｒ５は変倍に際し固定されている。また、第４レンズ群Ｇｒ４を移動させることによって無限遠から有限距離への合焦を行うことが出来る。なお、第５レンズＬ５、第７レンズＬ７、第９レンズＬ９、第１１レンズＬ１１、第１２レンズＬ１２はガラスモールドレンズ、それ以外のレンズはガラス材料による研磨レンズを想定している。
【００８１】
（実施例６）
実施例６のレンズデータを表６に示す。図１３は実施例６のズームレンズの広角端における断面図である。図中Gr1は正の第１レンズ群であって、負の第１レンズＬ１、正の第２レンズＬ２（Ｌ１，Ｌ２は接合され、接合面は物体側に凸）、第３レンズＬ３から構成され、Gr2は負の第２レンズ群であって、像側に凹面を向けた負の第４レンズＬ４、像側に凹面を向けた負の第５レンズＬ５、物体側に凸面を向けた正の第６レンズＬ６から構成され、Gr3は正の第３レンズ群であって、第７レンズ（正の３ｐ１レンズ）Ｌ７、第８レンズ（負の３ｎレンズ）Ｌ８、第９レンズ（正の３ｐ２レンズ）Ｌ９（Ｌ８，Ｌ９は接合されている）から構成され、Gr4は負の第４レンズ群であって、正の第１０レンズＬ１０、負の第１１レンズＬ１１から構成され、Gr5は正の第５レンズ群であって、第１２レンズＬ１２から構成されており、Sは開口絞り、Iは撮像面を示す。また、F1、F2は光学的ローパスフィルタやＩＲカットフィルタ、固体撮像素子のシールガラス等を想定した平行平板を示す。
【００８２】
［表６］
実施例6          
f = 4.33 - 16.47 - 61.76
Fno = 3.7 - 5.1 - 5.5
ズーム比 = 14.26
面番号  R(mm)   D(mm)   Nd              νd     有効半径(mm)
1       31.332  0.70    1.90200         25.1    10.63
2       19.771  3.81    1.49700         81.6    10.10 
3      -4091.988 0.12                           10.00 
4       17.233  2.50    1.72920         54.7    9.63
5       38.818  d1                              9.39 
6*      28.727  0.50    1.88300         40.8    4.70 
7       4.400   2.50                            3.44 
8       -17.535 0.50    1.72920         54.7    3.29 
9       10.580  0.20                            3.18
10      7.368   1.16    1.94590         18.0    3.22 
11      19.086  d2                              3.10 
12(絞り) ∞     d3                              1.64 
13*     5.359   1.18    1.80610         40.7    2.10 
14*     45.234  0.38                            2.07 
15     -357.211 0.50    1.72820         28.3    2.04 
16      4.500   1.84    1.49710         81.6    1.99 
17*     -5.855  d4                              2.00 
18      33.953  1.23    1.59270         35.5    2.11 
19      -6.200  0.39                            2.10 
20*     -6.432  0.52    1.85130         40.1    2.01
21*     8.617   d5                              2.08
22*     322.772 2.50    1.49710         81.6    4.01 
23*     -8.443  1.58                            4.02 
24      ∞      0.30    1.51680         64.2    3.83 
25      ∞      0.50                            3.81 
26      ∞      0.50    1.51680         64.2    3.80 
27      ∞      1.07                            3.81
非球面係数
第6面                                  第20面
K=0.00000E+00                           K=0.00000E+00
A4=-0.22606E-03                         A4=-0.18834E-02
A6=-0.16555E-05                         A6=-0.19765E-06
A8=0.88506E-07                          A8=-0.55909E-05
A10=-0.98969E-09                        A10=0.33717E-06
A12=-0.41775E-08
第13面                                 第21面
K=0.00000E+00                           K=0.00000E+00
A4=-0.42022E-03                         A4=-0.14757E-02
A6=-0.11411E-03                         A6=0.11871E-03
A8=-0.21669E-04                         A8=-0.22239E-04
A10=-0.60300E-06                        A10=0.15308E-05
A12=-0.30908E-06                        A12=0.10329E-07
第14面                                 第22面
K=0.00000E+00                           K=0.00000E+00
A4=0.32837E-03                          A4=0.83105E-03
A6=-0.13357E-03                         A6=0.90945E-04
A8=-0.47771E-04                         A8=-0.61041E-05
A10=-0.50470E-06                        A10=0.20852E-06
A12=0.20701E-07                         A12=-0.25996E-08
第17面                                 第23面
K=0.00000E+00                           K=0.00000E+00
A4=0.18900E-02                          A4=0.80088E-03
A6=0.26351E-04                          A6=-0.17016E-04
A8=0.21574E-04                          A8=0.59899E-05
A10=0.22805E-05                         A10=-0.35204E-06
A12=-0.32749E-06                        A12=0.72979E-08
各ポジション（広角、中間、望遠）の焦点距離、Fナンバー、群間
F       Fno     画角    ２Y     d1      d2      d3      d4      d5
4.33    3.70    84.1    6.625   0.49    10.07   0.87    1.79    1.00
16.47   5.10    26.7    7.690   8.96    1.79    1.99    3.49    4.82
61.76   5.50    7.2     7.318   19.44   0.17    1.33    0.40    8.82
レンズ群データ
レンズ群   始面     焦点距離(mm)
1          1        30.56 
2          6        -4.74 
3          13       6.65 
4          18       -9.38 
5          22       16.59
【００８３】
図１４は実施例６の収差図（球面収差、非点収差、歪曲収差）である。ここで、図１４（ａ）は広角端における収差図である。図１４（ｂ）は中間における収差図である。図１４（ｃ）は望遠端における収差図である。
【００８４】
実施例６のズームレンズでは、広角端から望遠端への変倍に際し、第１レンズ群Ｇｒ１、第２レンズ群Ｇｒ２、開口絞りＳ、第３レンズ群Ｇｒ３、第４レンズ群Ｇｒ４が光軸方向に沿って移動し、各レンズ群の間隔を変えることにより変倍を行うことが出来る。第５レンズ群Ｇｒ５は変倍に際し固定されている。また、第４レンズ群Ｇｒ４を移動させることによって無限遠から有限距離への合焦を行うことが出来る。なお、第４レンズＬ４、第７レンズＬ７、第９レンズＬ９、第１１レンズＬ１１、第１２レンズＬ１２はガラスモールドレンズ、それ以外のレンズはガラス材料による研磨レンズを想定している。
【００８５】
（実施例７）
実施例７のレンズデータを表７に示す。図１５は実施例７のズームレンズの広角端における断面図である。図中Gr1は正の第１レンズ群であって、負の第１レンズＬ１、正の第２レンズＬ２（Ｌ１，Ｌ２は接合され、接合面は物体側に凸）、第３レンズＬ３から構成され、Gr2は負の第２レンズ群であって、像側に凹面を向けた負の第４レンズＬ４、像側に凹面を向けた負の第５レンズＬ５、物体側に凸面を向けた正の第６レンズＬ６から構成され、Gr3は正の第３レンズ群であって、第７レンズ（正の３ｐ１レンズ）Ｌ７、第８レンズ（負の３ｎレンズ）Ｌ８、第９レンズ（正の３ｐ２レンズ）Ｌ９（Ｌ７，Ｌ８，Ｌ９は接合されている）から構成され、Gr4は負の第４レンズ群であって、正の第１０レンズＬ１０、負の第１１レンズＬ１１から構成され、Gr5は正の第５レンズ群であって、第１２レンズＬ１２から構成されており、Sは開口絞り、Iは撮像面を示す。また、F1、F2は光学的ローパスフィルタやＩＲカットフィルタ、固体撮像素子のシールガラス等を想定した平行平板を示す。
【００８６】
［表７］
実施例7          
f = 4.43 - 16.66 - 63.24
Fno = 3.7 - 5.1 - 5.5
ズーム比 = 14.26
面番号  R(mm)   D(mm)   Nd              νd     有効半径(mm)
1       32.503  0.70    1.90200         25.1    10.63 
2       20.274  3.65    1.49700         81.6    10.16
3      -979.192 0.12                            10.00
4       17.891  2.44    1.72920         54.7    9.66
5       41.815  d1                              9.44 
6*      21.895  0.50    1.80420         46.5    4.97
7       4.280   2.90                            3.54
8       -14.526 0.50    1.72920         54.7    3.31 
9       12.410  0.20                            3.21
10      7.079   1.05    1.94590         18.0    3.23
11      13.994  d2                              3.10 
12(絞り) ∞     d3                              1.67
13*     6.629   1.08    1.80610         40.7    2.30 
14      -56.698 0.93    1.69890         30.1    2.30 
15      4.936   2.30    1.49700         81.6    2.28 
16      -6.298  d4                              2.35
17      30.784  1.51    1.60340         38.0    2.33
18      -4.833  0.39                            2.30
19*     -4.560  0.50    1.88200         37.2    2.10
20*     10.735  d5                              2.19
21*     -72.783 2.50    1.49710         81.6    4.02
22*     -6.878  1.54                            4.06 
23      ∞      0.30    1.51680         64.2    3.79 
24      ∞      0.50                            3.77
25      ∞      0.50    1.51680         64.2    3.73
26      ∞      1.01                            3.71
非球面係数
第6面                                  第20面
K=0.00000E+00                           K=0.00000E+00
A4=-0.24367E-03                         A4=-0.11486E-02
A6=-0.36029E-05                         A6=0.14126E-03
A8=0.19967E-06                          A8=0.63747E-04
A10=-0.28421E-08                        A10=-0.91154E-05
A12=-0.13486E-10
第13面                                 第21面
K=0.00000E+00                           K=0.00000E+00
A4=-0.10785E-02                         A4=0.14809E-02
A6=0.29286E-04                          A6=0.11358E-03
A8=-0.19943E-04                         A8=-0.90329E-05
A10=0.35758E-05                         A10=0.24506E-06
A12=-0.24107E-06                        A12=-0.10828E-08
第19面                                 第22面
K=0.00000E+00                           K=0.00000E+00
A4=-0.30056E-02                         A4=0.61883E-03
A6=0.72628E-04                          A6=0.64936E-04
A8=0.10322E-03                          A8=0.19637E-05
A10=-0.14783E-04                        A10=-0.37579E-06
A12=0.57315E-11                         A12=0.11229E-07
各ポジション（広角、中間、望遠）の焦点距離、Fナンバー、群間
F       Fno     画角    ２Y     d1      d2      d3      d4      d5
4.44    3.70    82.7    6.855   0.32    10.12   1.17    2.22    0.99
16.66   5.10    26.4    7.267   10.15   2.95    2.20    3.00    5.66
63.24   5.50    7.1     7.107   19.96   1.28    0.22    1.00    7.02
レンズ群データ
レンズ群   始面     焦点距離(mm)
1          1        31.00 
2          6        -4.77 
3          13       6.88 
4          17       -8.78 
5          21       15.09 
【００８７】
図１６は実施例７の収差図（球面収差、非点収差、歪曲収差）である。ここで、図１６（ａ）は広角端における収差図である。図１６（ｂ）は中間における収差図である。図１６（ｃ）は望遠端における収差図である。
【００８８】
実施例７のズームレンズでは、広角端から望遠端への変倍に際し、第１レンズ群Ｇｒ１、第２レンズ群Ｇｒ２、開口絞りＳ、第３レンズ群Ｇｒ３、第４レンズ群Ｇｒ４が光軸方向に沿って移動し、各レンズ群の間隔を変えることにより変倍を行うことが出来る。第５レンズ群Ｇｒ５は変倍に際し固定されている。また、第４レンズ群Ｇｒ４を移動させることによって無限遠から有限距離への合焦を行うことが出来る。なお、第４レンズＬ４、第７レンズＬ７、第９レンズＬ９、第１１レンズＬ１１、第１２レンズＬ１２はガラスモールドレンズ、それ以外のレンズはガラス材料による研磨レンズを想定している。
【００８９】
請求項に記載の条件式の値を表８にまとめて示す。
【００９０】
【表８】
0005838500.tif 000005
【００９１】
最近では、プラスチック材料中に無機微粒子を混合させ、プラスチック材料の温度変化を小さくできることが分かってきた。詳細に説明すると、一般に透明なプラスチック材料に微粒子を混合させると、光の散乱が生じ透過率が低下するため、光学材料として使用することは困難であったが、微粒子の大きさを透過光束の波長より小さくすることにより、散乱が実質的に発生しないようにできる。プラスチック材料は温度が上昇することにより屈折率が低下してしまうが、無機粒子は温度が上昇すると屈折率が上昇する。そこで、これらの温度依存性を利用して互いに打ち消しあうように作用させることにより、屈折率変化がほとんど生じないようにすることができる。具体的には、母材となるプラスチック材料に最大長が20ナノメートル以下の無機粒子を分散させることにより、屈折率の温度依存性のきわめて低いプラスチック材料となる。例えばアクリルに酸化ニオブ（Nb2O5）の微粒子を分散させることで、温度変化による屈折率変化を小さくすることができる。本発明において、実施例３の第１２レンズに、このような無機粒子を分散させたプラスチック材料を用いることにより、ズームレンズ全系の温度変化時の像点位置変動をより小さく抑えることが可能となる。
【００９２】
また近年、撮像装置を低コストに且つ大量に実装する方法として、予め半田がポッティングされた基板に対し、ICチップその他の電子部品と光学素子とを載置したままリフロー処理（加熱処理）し、半田を溶融させることにより電子部品と光学素子とを基板に同時実装するという技術が提案されている。
【００９３】
このようなリフロー処理を用いて実装を行うためには、電子部品と共に光学素子を約200〜260度に加熱する必要があるが、このような高温下では熱可塑性樹脂を用いたレンズでは熱変形し或いは変色して、その光学性能が低下してしまうという問題点がある。このような問題を解決するための方法のひとつとして、耐熱性能に優れたガラスモールドレンズを使用し、小型化と高温環境での光学性能を両立する技術が提案されているが、熱可塑性樹脂を用いたレンズよりもコストが高いため、撮像装置の低コスト化の要求に応えられないという問題があった。
【００９４】
そこで、ズームレンズの材料にエネルギー硬化性樹脂を使用することで、ポリカーボネイト系やポリオレフィン系のような熱可塑性樹脂を用いたレンズに比べ、高温に曝されたときの光学性能の低下が小さいため、リフロー処理に有効であり、かつガラスモールドレンズよりも製造しやすく安価となり、ズームレンズを組み込んだ撮像装置の低コストと量産性を両立できる。なお、エネルギー硬化性樹脂とは、熱硬化性樹脂および紫外線硬化性樹脂のいずれをも指すものとする。本発明のプラスチックレンズを前述のエネルギー硬化性樹脂も用いて形成しても良い。
【産業上の利用可能性】
【００９５】
本発明は、明細書に記載の実施例に限定されるものではなく、他の実施例・変形例を含むことは、本明細書に記載された実施例や思想から本分野の当業者にとって明らかである。例えば、実質的にパワーを持たないダミーレンズを更に付与した場合でも本発明の適用範囲内である。
【符号の説明】
【００９６】
７１ 三脚穴
７２ カード蓋
８０ レンズ鏡胴
８１ カメラボディ
８２ ファインダ窓
８３ レリーズ釦
８４ フラッシュ発光部
８７ ストラップ取り付け部
８８ ＵＳＢ端子
８９ レンズカバー
９１ ファインダ接眼部
９２ 表示ランプ
９３ ズーム釦
９５ セット釦
９６ ４方向スイッチ
９６ 選択釦
９７ 再生釦
９８ ディスプレイ釦
９９ 消去釦
１００ 撮像装置
１０１ ズームレンズ
１０２ 固体撮像素子
１０３ 変換部
１０４ 制御部
１０５ 光学系駆動部
１０６ タイミング発生部
１０７ 撮像素子駆動部
１０８ 画像メモリ
１０９ 画像処理部
１１０ 画像圧縮部
１１１ 画像記録部
１１２ モニターＬＣＤ
１１３ 動作部
ＤＣ デジタルカメラ
Ｇｒ１〜Ｇｒ５ レンズ群
Ｌ１〜Ｌ１２ レンズ
Ｓ 開口絞り
Ｉ 撮像面
Ｆ１，Ｆ２ 光学的ローパスフィルタ又はＩＲカットフィルタ
【図１】
0005838500.tif 000007
【図２】
0005838500.tif 000008
【図３】
0005838500.tif 000009
【図４】
0005838500.tif 000010
【図５】
0005838500.tif 000011
【図６】
0005838500.tif 000012
【図７】
0005838500.tif 000013
【図８】
0005838500.tif 000014
【図９】
0005838500.tif 000015
【図１０】
0005838500.tif 000016
【図１１】
0005838500.tif 000017
【図１２】
0005838500.tif 000018
【図１３】
0005838500.tif 000019
【図１４】
0005838500.tif 000020
【図１５】
0005838500.tif 000021
【図１６】
0005838500.tif 000022